(57)【要約】【課題】冠婚葬祭場の案内、冠婚葬祭催事の情報に基づき作成した案内を配信し、金品及びメッセージの配達等の依頼を冠婚葬祭場が自動で受注でき、代金決済まで行えること。【解決手段】冠婚葬祭場登録情報ＡをＤＢ１０に登録する冠婚葬祭場登録部９と、贈り物金品登録情報Ｂと冠婚葬祭催行登録情報ＣとをＤＢ１０に登録する冠婚葬祭場情報入力部１１と、上記冠婚葬祭場の電話番号に基づいて生成された電子メールアドレス宛の電子メールを受信し、上記冠婚葬祭場のホームページのＵＲＬを一部に含む電子メールを返信するＵＲＬ送信部１２と、ＤＢ１０で保持している冠婚葬祭場登録情報Ａや贈り物金品登録情報Ｂ、冠婚葬祭催行登録情報Ｃを閲覧可能に公開する冠婚葬祭場情報公開部１３と、贈り物の受注を受付け当該受注情報ＦをＤＢ１６に登録する冠婚葬祭金品メッセージ受注部１４と、を具備する冠婚葬祭支援システムである。【選択図】      図１
2007179109.tif 000002
【特許請求の範囲】
【請求項１】
第１及び第２のデータベースと、
システム運営本部から送信された冠婚葬祭場登録情報を上記第１のデータベースに登録する冠婚葬祭場登録部と、
冠婚葬祭場の事務用端末から送信された贈り物金品登録情報と冠婚葬祭催行登録情報とを上記第１のデータベースに登録する冠婚葬祭場情報入力部と、
サービス利用者の情報端末から送信された、上記冠婚葬祭場の電話番号に基づいて生成された電子メールアドレス宛の電子メールを受信し、上記冠婚葬祭場のホームページのＵＲＬを一部に含む電子メールを上記情報端末に返信するＵＲＬ送信部と、
上記サービス利用者の情報端末からの要求に基づいて上記第１のデータベースで保持している冠婚葬祭場登録情報や贈り物金品登録情報、冠婚葬祭催行登録情報を閲覧可能に公開する冠婚葬祭場情報公開部と、
上記サービス利用者の情報端末からの要求に基づいて贈り物の受注を受付け当該受注情報を上記第２のデータベースに登録すると共に、所定の場合に決済代行金融機関サーバに対して電子決済依頼情報を送信し電子決済を促す冠婚葬祭金品メッセージ受注部と、
を具備する冠婚葬祭支援システム。
【請求項２】
冠婚葬祭支援システムによる方法であって、
冠婚葬祭場登録部が、システム運営本部から送信された冠婚葬祭場登録情報を第１のデータベースに登録するステップと、
冠婚葬祭場情報入力部が、冠婚葬祭場の事務用端末から送信された贈り物金品登録情報と冠婚葬祭催行登録情報とを第１のデータベースに登録するステップと、
ＵＲＬ送信部が、サービス利用者の情報端末から送信された、上記冠婚葬祭場の電話番号に基づいて生成された電子メールアドレス宛の電子メールを受信し、上記冠婚葬祭場のホームページのＵＲＬを一部に含む電子メールを上記情報端末に返信するステップと、
冠婚葬祭場情報公開部が、上記サービス利用者の情報端末からの要求に基づいて第１のデータベースで保持している冠婚葬祭場登録情報や贈り物金品登録情報、冠婚葬祭催行登録情報を閲覧可能に公開するステップと、
冠婚葬祭金品メッセージ受注部が、上記サービス利用者の情報端末からの要求に基づいて贈り物の受注を受付け当該受注情報を第２のデータベースに登録すると共に、所定の場合に決済代行金融機関サーバに対して電子決済依頼情報を送信し電子決済を促すステップと、を有する冠婚葬祭支援方法。
【発明の詳細な説明】
【技術分野】
【０００１】
本発明は、冠婚葬祭場の案内と当該冠婚葬祭場で行われる冠婚葬祭催事についての案内を不特定多数のサービス利用者に配信し、当該冠婚葬祭催事への金品及びメッセージの配達を自動で受注し、代金決済まで行う冠婚葬祭支援システム及び方法に関する。
【背景技術】
【０００２】
従来、冠婚葬祭催事が行われる場合、多種多様な方法によりその案内がなされている。
【０００３】
このような冠婚葬祭催事のうち、特に葬儀については、短時間で訃報が作成され、例えばファクシミリ等により配信されているが、時間的制約や紙媒体である性質上、葬儀や葬祭場の詳細な案内を入れることができていないのが実状である。
【０００４】
これに加えて、葬祭場は駅前等に立地していないことが多く、更に判り難い場所にあることも多く、尚且つ初めて赴く人が多いことから、葬祭場には場所の案内を求める人から電話が頻繁にかかり、それに対応する人手が割かれていた。
【０００５】
また、冠婚葬祭催事に金品やメッセージを送ろうと思っても、従来、冠婚葬祭場が独自に対応できたものとしては葬儀の場合のお花かお供物くらいに限られており、その受注方法としては電話による口頭に限られているのが実状である。
【０００６】
例えば葬儀の場合、葬祭場へ供花や供物の注文が来た場合、従来は、一旦電話を受けると、ファクシミリで札名や請求書の送り先を送信してもらうよう依頼し、ファクシミリが着信すると確認の電話をかけている。この受注業務には貴重な人手を割かれており、更には人手を介しているため、深夜や早朝などは受注ができない。
【０００７】
さらに、冠婚葬祭場は祝電や弔電の配達を受け、取りまとめて冠婚葬祭催事の主催者に渡していたが、取りまとめにも人手がかかっているのにも関わらず、冠婚葬祭場がこれらの取りまとめで対価を得ることはできない。また、従来、冠婚葬祭場は祝い金や香典の配達代行業務は行っていないのが一般的である。
【０００８】
このような点に鑑みて、例えば特許文献１では、ネットワーク上で祝儀や香典を受け付け、および返礼品の発注配送依頼を行うことができる式典支援方法が開示されている。
【０００９】
さらに、特許文献２では、香典情報が格納された記憶媒体の内容を読み取り、この読み取った香典情報を基に参列者台帳を作成する冠婚葬祭処理システムが開示されている。
【特許文献１】特開２００３−１７８１４７号公報
【特許文献２】特開２００５−３２１９３２号公報
【発明の開示】
【発明が解決しようとする課題】
【００１０】
しかしながら、前述した特許文献１，２に開示された発明は、冠婚葬祭の催事業務の負担の一部を軽減するものではあるが、冠婚葬祭の催事に係る一連の業務に関わる情報を相互の関連性をふまえながら統括的に管理し、その情報に基づいて当該業務の大部分を自動化し、その業務負担を大幅に軽減するものではない。
【００１１】
本発明の目的とするところは、冠婚葬祭場の案内とそこで行われる冠婚葬祭催事についての情報の登録を受け付け、当該情報に基づいて作成された案内をネットワークを介して配信し、尚且つ当該冠婚葬祭催事への金品及びメッセージの配達等の依頼を冠婚葬祭場が自動で受注することができ、更には代金決済まで行えるようにすることである。
【課題を解決するための手段】
【００１２】
本発明の第１の態様では、第１及び第２のデータベースと、システム運営本部から送信された冠婚葬祭場登録情報を上記第１のデータベースに登録する冠婚葬祭場登録部と、冠婚葬祭場の事務用端末から送信された贈り物金品登録情報と冠婚葬祭催行登録情報とを上記第１のデータベースに登録する冠婚葬祭場情報入力部と、サービス利用者の情報端末から送信された、上記冠婚葬祭場の電話番号に基づいて生成された電子メールアドレス宛の電子メールを受信し、上記冠婚葬祭場のホームページのＵＲＬを一部に含む電子メールを上記情報端末に返信するＵＲＬ送信部と、上記サービス利用者の情報端末からの要求に基づいて上記第１のデータベースで保持している冠婚葬祭場登録情報や贈り物金品登録情報、冠婚葬祭催行登録情報を閲覧可能に公開する冠婚葬祭場情報公開部と、上記サービス利用者の情報端末からの要求に基づいて贈り物の受注を受付け当該受注情報を上記第２のデータベースに登録すると共に、所定の場合に決済代行金融機関サーバに対して電子決済依頼情報を送信し電子決済を促す冠婚葬祭金品メッセージ受注部と、を具備する冠婚葬祭支援システムが提供される。
【００１３】
本発明の第２の態様では、冠婚葬祭支援システムによる方法であって、冠婚葬祭場登録部が、システム運営本部から送信された冠婚葬祭場登録情報を第１のデータベースに登録するステップと、冠婚葬祭場情報入力部が、冠婚葬祭場の事務用端末から送信された贈り物金品登録情報と冠婚葬祭催行登録情報とを第１のデータベースに登録するステップと、ＵＲＬ送信部が、サービス利用者の情報端末から送信された、上記冠婚葬祭場の電話番号に基づいて生成された電子メールアドレス宛の電子メールを受信し、上記冠婚葬祭場のホームページのＵＲＬを一部に含む電子メールを上記情報端末に返信するステップと、冠婚葬祭場情報公開部が、上記サービス利用者の情報端末からの要求に基づいて第１のデータベースで保持している冠婚葬祭場登録情報や贈り物金品登録情報、冠婚葬祭催行登録情報を閲覧可能に公開するステップと、冠婚葬祭金品メッセージ受注部が、上記サービス利用者の情報端末からの要求に基づいて贈り物の受注を受付け当該受注情報を第２のデータベースに登録すると共に、所定の場合に決済代行金融機関サーバに対して電子決済依頼情報を送信し電子決済を促すステップと、を有する冠婚葬祭支援方法が提供される。
【発明の効果】
【００１４】
本発明によれば、冠婚葬祭場の案内とそこで行われる冠婚葬祭催事についての情報の登録を受け付け、当該情報に基づいて作成された案内をネットワークを介して配信し、尚且つ当該冠婚葬祭催事への金品及びメッセージの配達等の依頼を冠婚葬祭場が自動で受注することができ、更には代金決済まで行えるようにする冠婚葬祭支援システム及び方法を提供することができる。
【発明を実施するための最良の形態】
【００１５】
以下、図面を参照して、本発明の一実施の形態に係る、冠婚葬祭場及び催事についての案内配信、当該冠婚葬祭催事への金品及びメッセージの配達の自動受注、代金決済等という一連の業務を支援する冠婚葬祭支援システム及び方法について説明する。
【００１６】
図１は本発明の一実施の形態に係る冠婚葬祭支援システムの構成を示す概念図である。
【００１７】
この図１に示されるように、情報配信・保管サーバ３は、インターネット５を介してシステム運営本部の情報端末１と通信自在となっている。さらに、情報配信・保管サーバ３は、インターネット（携帯電話会社インフラ含む）６を介して全国の冠婚葬祭場の事務用端末２、担当者携帯電話機１７、責任者携帯電話機１８と通信自在であり、インターネット（携帯電話会社インフラ含む）７を介してサービス利用者の情報端末４ａ、携帯電話機４ｂとも通信自在となっている。また、情報配信・保管サーバ３は、インターネット８を介して決済代行金融機関サーバ１５と通信自在となっている。
【００１８】
この情報配信・保管サーバ３は、冠婚葬祭場登録部９と、第１のデータベースとしての冠婚葬祭場情報データベース（以下、ＤＢと略記する）１０と、冠婚葬祭場情報入力部１１と、ＵＲＬ送信部１２と、冠婚葬祭場情報公開部１３と、冠婚葬祭金品メッセージ受注部１４と、第２のＤＢとしての金品メッセージ受注情報決済情報ＤＢ１６とを備えている。
【００１９】
以下、これら各部について詳述する。
【００２０】
先ず、冠婚葬祭場登録部９は、システム運営本部の情報端末１から送信された、加盟した冠婚葬祭場に関しての地図や交通機関案内、最寄り駅からの経路、自動車で来る場合の経路、内外観写真等といった冠婚葬祭場登録情報Ａを冠婚葬祭場情報ＤＢ１０に登録するための手段である。冠婚葬祭場情報入力部１１は、冠婚葬祭場の事務用端末２から送信された、冠婚葬祭催事の主催者へ送ることができる贈り物や金品の贈り物金品登録情報Ｂや冠婚葬祭催行登録情報Ｃを冠婚葬祭場情報ＤＢ１０に登録するための手段である。この冠婚葬祭催行登録情報Ｃは、冠婚葬祭場の事務用端末２にて冠婚葬祭催事が発生する毎に入力される。冠婚葬祭場情報ＤＢ１０は、このように登録された冠婚葬祭場登録情報Ａと贈り物金品登録情報Ｂと冠婚葬祭催行登録情報Ｃを保管するための手段である。
【００２１】
ＵＲＬ送信部１２は、サービス利用者の情報端末４ａや携帯電話機４ｂに冠婚葬祭場の案内専用ホームページＵＲＬの入った電子メールを自動返信する手段である。冠婚葬祭場情報公開部１３は、冠婚葬祭場登録情報Ａ、贈り物金品登録情報Ｂ、冠婚葬祭催行登録情報Ｃを閲覧することができる手段である。冠婚葬祭金品メッセージ受注部１４は、サービス利用者が冠婚葬祭催事主催者に金品やメッセージを贈る時に金品受注情報Ｆを受け、電子決済と通常決済を振り分け、電子決済の場合には決済代行金融機関サーバ１５との間で電子決済依頼情報Ｇおよび電子決済済み情報Ｈをやり取りすると共に、サービス利用者の情報端末４ａや携帯電話機４ｂ及び冠婚葬祭場の冠婚葬祭催事担当者の担当者携帯電話１７ならびに当該冠婚葬祭場の責任者の責任者携帯電話機１８に金品受注情報電子メールＪを送信する手段である。金品メッセージ受注情報決済情報ＤＢ１６は、冠婚葬祭催事への金品受注情報Ｆと電子決済済み情報Ｈを保管し、当該冠婚葬祭場の事務用端末２から閲覧可能に、乃至は電子ファイルの形でダウンロード可能とする手段である。
【００２２】
以下、このような構成による処理手順を詳細に説明する。
【００２３】
このシステムを利用しようとする冠婚葬祭場は加盟申し込みを行う。加盟申し込みがあった場合、システム運営本部の情報端末１が、加盟冠婚葬祭場に関しての地図や交通機関案内、最寄り駅からの経路、自動車で来る場合の経路、内外観写真等といった冠婚葬祭場登録情報Ａをインターネット５を介して冠婚葬祭場登録部９に送信し（ステップＳ１，Ｓ２）、当該冠婚葬祭場登録部９が冠婚葬祭場情報ＤＢ１０に登録する（ステップＳ３）。
【００２４】
この冠婚葬祭場登録情報は、冠婚葬祭場情報ＤＢ１０に、図２（ａ）乃至（ｃ）のような形式で保存される。即ち、図２（ａ）に示されるように、冠婚葬祭場毎に付与される所定のＩＤと葬祭場名、住所、電話番号、ＦＡＸ番号、責任者電子メールアドレス、空メールアドレス、お花・お供物の有効／無効等が対応付けられて第１のテーブルで保存されている。ここで、空メールアドレスとは、冠婚葬祭場特定メールアドレスＤに相当するものであり、システム運営本部１にて、あるいは冠婚葬祭場登録部９において、葬祭場の電話番号に基づいて、
（電話番号）＠ｊｆｍａｐ．ｃｏ．ｊｐ
の如く付与されるものである。
【００２５】
さらに、図２（ｂ）に示されるように、少なくとも冠婚葬祭場毎に付与される所定のＩＤと葬祭場名、前述したようにして付与された空メールアドレス、設定期間、ステータス（掲載／非掲載）、返信メールタイトル、返信メール本文、ＵＲＬページが対応付けられて第２のテーブルで保存されている。また、図２（ｃ）に示されるように、少なくともＩＤと葬儀ＩＤ、担当者コード、氏名、その担当者のメールアドレスが対応付けられて第３のテーブルで保存されている。これら第１乃至第３のテーブルは、システム運営本部１での入力画面に対応した個別のテーブルとしているが、ＩＤがキーとなって相互に相関性が担保されている。尚、１つのテーブルで管理してもよいことは勿論である。
【００２６】
システム運営本部による冠婚葬祭場登録情報Ａの登録が終了すると、加盟した冠婚葬祭場は、日常の業務として事務用端末２からインターネット６を介して冠婚葬祭場情報入力部１１に冠婚葬祭催行登録情報Ｃを送信し、当該冠婚葬祭場情報入力部１１は当該冠婚葬祭催行登録情報Ｃを冠婚葬祭場情報ＤＢ１０に登録する（ステップＳ４乃至Ｓ６）。
【００２７】
この冠婚葬祭催行登録情報Ｃは、図３（ａ）に示されるような形式で冠婚葬祭場情報ＤＢ１０に保存される。すなわち、少なくとも冠婚葬祭場毎に付与された所定のＩＤと葬儀毎に付与された葬儀ＩＤ、葬祭場名、家名、故人名、日時、お花・お供物の注文期限、担当者、掲載期限等が対応付けられて第４のテーブルで保存されている。
【００２８】
尚、この第４のテーブルは、前述した第１乃至第３のテーブルとは、冠婚葬祭場毎に付与されたＩＤによりリレーショナルな関係が確保されている。
【００２９】
同様に、加盟した冠婚葬祭場は事務用端末２からインターネット６を介して冠婚葬祭場情報入力部１１に冠婚葬祭催事の主催者へ送ることが出来る金品の贈り物金品登録情報Ｂを送信し、当該冠婚葬祭場情報入力部１１が当該情報Ｂを冠婚葬祭場情報ＤＢ１０に登録する（ステップＳ７乃至Ｓ９）。この贈り物金品登録情報Ｂは、図３（ｂ）に示されるような形式で冠婚葬祭場情報ＤＢ１０に登録されている。すなわち、少なくとも冠婚葬祭場毎に付与されたたＩＤとお花・お供物ＩＤ、葬祭場名、分類（お花／お供物）、名称、画像データ、価格、ステータス（掲載／非掲載）が対応付けられて第５のテーブルで保存されている。この第５のテーブルは、その冠婚葬祭場毎に付与されたＩＤにより第１乃至第４のテーブルとのリレーショナルな関係が確保されている。
【００３０】
加盟した冠婚葬祭場は、冠婚葬祭催事主催者からの催事案内に、冠婚葬祭場情報公開部１３によって公開される当該冠婚葬祭場の案内専用ページにアクセス可能なＵＲＬを含んだメールを送信するために、冠婚葬祭場毎に決められているシステム内で固有のメールアドレス（前述した空メールアドレスに相当）を入れるよう薦める。
【００３１】
この催事案内を見たサービス利用者が情報端末４ａからインターネット７を介して冠婚葬祭場特定メールアドレス宛ての電子メールＤをＵＲＬ送信部１２が受信すると、当該ＵＲＬ送信部１２はインターネット７を介してサービス利用者の情報端末４に冠婚葬祭場の案内専用ホームページＵＲＬの入った電子メールＥを自動返信する（ステップＳ１０乃至Ｓ１５）。情報端末４ａは、このＵＲＬによってインターネット７を介して冠婚葬祭場情報公開部１３にアクセスすれば、当該冠婚葬祭場の案内専用ページへダイレクトに接続され、冠婚葬祭場情報ＤＢ１０の冠婚葬祭場登録情報Ａ、贈り物金品登録情報Ｂ、冠婚葬祭催行登録情報Ｃを閲覧することができる（ステップＳ１６乃至Ｓ１８）。この処理手順はサービス利用者が携帯電話機４ｂを用いる場合も同様である。
【００３２】
ここで、冠婚葬祭催事は数日間に渡るものもあるが、最終日が終了すれば冠婚葬祭場情報公開部１３の閲覧画面から削除されなければならないが、冠婚葬祭場情報入力部１１は前述したように第１のテーブルにおいて冠婚葬祭場情報公開部１３への掲載期間を設定しており、最終日の終了と共に閲覧画面からは削除される。
【００３３】
サービス利用者が冠婚葬祭催事主催者に金品やメッセージを贈る時にはサービス利用者は情報端末４ａからインターネット７を介して冠婚葬祭金品受注部１４に金品あるいはメッセージの受注情報Ｆを送信する（ステップＳ１９，Ｓ２０）。この受注情報Ｆは金品メッセージ受注情報決済情報ＤＢ１６に格納される（ステップＳ２１）。より詳細には、図３（ｃ）に示されるような第６のテーブルで保存される。この例では、冠婚葬祭場毎に付与されたＩＤと注文毎に付与されるＩＤ、分類（お花／お供物）、名称、価格、札名、請求名義、電話番号、請求書の送付先、注文日付、電子決済の有無等の情報が対応付けられて記憶されている。
【００３４】
サービス利用者は金品の内容によってはクレジットカード等の電子決済と請求書の送付による振込の通常決済を選択することができるが、クレジットカード等の電子決済が選択された場合には冠婚葬祭金品メッセージ受注部１４はインターネット８を介して決済代行金融機関サーバ１５に電子決済依頼情報Ｇを送信する（ステップＳ２２，Ｓ２３）。
【００３５】
当該決済代行金融機関サーバ１５にて決済が行われると、決済代行金融機関サーバ１５から電子決済済み情報Ｈがインターネット８を介して冠婚葬祭金品メッセージ受注部１４に送信される（ステップＳ２４，Ｓ２５）。正式に受注が確認されると、冠婚葬祭金品メッセージ受注部１４はインターネット７を介してサービス利用者の情報端末４ａに金品受注情報電子メールＪを送信する（ステップＳ２６，Ｓ２７）。また同時に、当該冠婚葬祭場の当該冠婚葬祭催事担当者の携帯電話機１７と当該冠婚葬祭場の責任者の携帯電話機１８にも金品受注情報電子メールＪを送信する（ステップＳ２８乃至Ｓ３０）。
【００３６】
冠婚葬祭催事への金品メッセージの配達は冠婚葬祭催事の開始直前には終了していなければならないため、冠婚葬祭金品メッセージ受注部１４では当該冠婚葬祭場の設定する限界時刻を過ぎた場合には自動的に金品メッセージの受注が中止する。尚、受注情報Ｆと電子決済済み情報Ｈは、冠婚葬祭場の事務用端末２により閲覧可能となっており、更には電子ファイルの形でダウンロードすることも出来る（ステップＳ３１，Ｓ３２）。
【００３７】
情報配信・保管サーバ３内部の冠婚葬祭場登録部９と、冠婚葬祭場情報ＤＢ１０と、冠婚葬祭場情報入力部１１と、金品メッセージ受注情報決済情報ＤＢ１６にアクセスして情報を閲覧、更新、ダウンロードする作業については、例えば２段階の認証セキュリティシステムにより各部にアクセスを許された者だけが接続できる認証を適宜行うこととし、そのセキュリティ性を確保している。
【００３８】
次に図４乃至図９を参照して、実際のサービスイメージを詳細に説明する。
【００３９】
サービス利用者が催事案内に記載された冠婚葬祭場毎の空メールアドレスに電子メールを送信すると、ＵＲＬ送信部１２が、図４の符号１００で示したような画面の電子メールＥを送信する。この画面１００には、冠婚葬祭場のホームページのＵＲＬが記載されており、当該ＵＲＬをクリックすると、冠婚葬祭場情報公開部１３により当該冠婚葬祭場のホームページのファイルが送信され、携帯電話機４ｂにて画面１０１が表示される。この画面１０１では、例えば、冠婚葬祭場の名称、住所、電話番号、交通の案内、更に詳細なページへ導くボタン、葬儀の案内へ導くボタン、お花、お供物を贈るページへ導くボタン等が表示されている。ここで、葬儀の案内へ導くボタンを選択すると、冠婚葬祭場情報公開部１３より第４のテーブルに基づいて生成されたファイルが送信され、携帯電話機４ｂに画面１０２が表示される。即ち、画面１０２では、葬儀の詳細なスケジュールが表示される。一方、更に詳細なホームページへ導くボタン「ホームページを見る」が選択されると図５に示されるような画面１０３が携帯電話機４ｂに表示される。ここでは、和室、ホール、受付ロビーの景観を画面１０３ａ乃至１０３ｃで確認できるようになっている。
【００４０】
一方、お花を贈るページへ導くボタン「お花を贈る」が選択されると、冠婚葬祭場情報公開部１３は第５のテーブルに基づいて生成したファイルを携帯電話機４ｂに送信し、当該携帯電話機４ｂでは図６に示されるような画面１０４が表示される。この画面１０４では、お花の名称及び価格が少なくとも表示されており、所望とするものが選択されると更に画面１０６へと画面が切り換わる。この画面１０６では、当該お花の画像ファイルと詳細な情報、更には申し込みの可否が選択できるようになっている。
【００４１】
同様に、お供物を贈るページへ導くボタン「お供物を贈る」が選択されると、冠婚葬祭場情報公開部１３は第５のテーブルに基づいて生成したファイルを携帯電話機４ｂに送信し、当該携帯電話機４ｂでは図７に示されるような画面１０５が表示される。この画面１０５では、お供物の名称及び価格が少なくとも表示されており、所望とするものが選択されると更に画面１０７へと画面が切り換わる。この画面１０７では、当該お供物の画像ファイルと詳細な情報、更には申し込みの可否が選択できるようになっている。
【００４２】
この画面１０６、１０７にて、「はい（申込登録）」が選択されると、図８に示されるように申込内容の入力画面１０８が表示され、「クレジットカード」での決済をするか、「請求書」により振込決済するかを選択、さらに請求名義や連絡先電話番号、請求書の送付先等を記載するよう促されることになる。そして、所定事項を記入して「申込」が選択されると画面１０９が表示され、確認が促され、「申込」が選択されると、カード決済の場合はカード決済代行金融機関の決済画面を経由して、申し込み完了の確認画面１１０が表示されることになる。これと共に、申込者の携帯電話機４ｂには図９に示されるような確認メールが送信されることになる。
【００４３】
以上、本発明の一実施の形態について説明したが、本発明はこれに限定されることなくその趣旨を逸脱しない範囲で種々の改良・変更が可能であることは勿論である。
【００４４】
例えば、上記実施の形態では、第１乃至第６のテーブルを個別に設けていたが、これに限定されることなく一部を一のテーブルにまとめて管理することも可能である。更に、前述した空メールアドレスを冠婚葬祭場毎にユニークなものとすれば、上記電話番号に基づく生成方法に限定されないことは勿論である。
【図面の簡単な説明】
【００４５】
【図１】本発明の一実施の形態に係る冠婚葬祭支援システムの構成図である。
【図２】（ａ）は第１のテーブル、（ｂ）は第２のテーブル、（ｃ）は第３のテーブルを示す図である。
【図３】（ａ）は第４のテーブル、（ｂ）は第５のテーブル、（ｃ）は第６のテーブルを示す図である。
【図４】空メールへの返信メール、冠婚葬祭場のホームページのトップページ、葬儀案内の詳細を示す画面１００乃至１０２を示す図である。
【図５】冠婚葬祭場のホームページの詳細、及び各部屋の概観を示す画面１０３、１０３ａ乃至１０３ｃを示す図である。
【図６】お花の注文に係る画面１０４，１０６を示す図である。
【図７】お供物の注文に係る画面１０５乃至１０７を示す図である。
【図８】支払に係る画面１０８乃至１１０を示す図である。
【図９】確認メールに係る画面１１１を示す図である。
【符号の説明】
【００４６】
１…システム運営本部の情報端末、２…冠婚葬祭場の事務用端末、３…情報配信・保管サーバ、４ａ…サービス利用者の情報端末、４ｂ…サービス利用者の携帯電話機、５，８…インターネット、６，７…インターネット（携帯電話会社インフラ含む）、９…冠婚葬祭場登録部、１０…冠婚葬祭場情報ＤＢ、１１…冠婚葬祭場情報入力部、１２…ＵＲＬ送信部、１３…冠婚葬祭場情報公開部、１４…冠婚葬祭金品メッセージ受注部、１５…決済代行金融機関サーバ、１６…金品メッセージ受注情報決済情報ＤＢ、１７…担当者携帯電話機、１８…責任者携帯電話機。
【図１】
2007179109.tif 000003
【図２】
2007179109.tif 000004
【図３】
2007179109.tif 000005
【図４】
2007179109.tif 000006
【図５】
2007179109.tif 000007
【図６】
2007179109.tif 000008
【図７】
2007179109.tif 000009
【図８】
2007179109.tif 000010
【図９】
2007179109.tif 000011